(57)【要約】【課題】コンテンツを再生する表示装置に記憶されているコンテンツの編集を表示装置とは異なる他の装置で容易に編集できるようにする。【解決手段】電子ペーパ装置１０は、コンピュータ装置２０から要求されたＨＴＭＬファイルに、ＷＷＷブラウザに文書の作成・編集の機能を実現させるスクリプトを組み込み、スクリプトが組み込まれたＨＴＭＬファイルをコンピュータ装置２０へ送信する。このＨＴＭＬファイルがコンピュータ装置２０にて受信されると、スクリプトが組み込まれたＨＴＭＬファイルがＷＷＷブラウザにより解釈され、ＨＴＭＬファイルが表す文書の画像と、文書の作成・編集に関係した各種ボタンやテキストボックスを備える編集画面がＷＷＷブラウザのウィンドウ内に表示され、ＷＷＷブラウザにおいて文書の作成・編集機能が実現し、ＨＴＭＬファイルに係る文書の作成・編集が可能となる。【選択図】図１
2008197953.tif 000002
【特許請求の範囲】
【請求項１】
コンテンツを表すコンテンツデータと、前記コンテンツデータを編集する機能を外部のコンピュータ装置に実現させるプログラムとを記憶する記憶手段と、
前記コンテンツデータを要求する要求指示を受信する要求指示受信手段と、
前記プログラムと、前記要求指示受信手段で受信された要求指示が要求するコンテンツデータとを前記記憶手段から読み出し、読み出したプログラムとコンテンツデータとを前記要求指示を送信した外部のコンピュータ装置へ送信する送信手段と、
前記外部のコンピュータ装置から送信されたコンテンツデータを前記記憶手段に記憶させる保存手段と、
記憶性を備えた表示素子を有し、前記記憶手段に記憶されたコンテンツデータが表すコンテンツを表示する表示手段と
を有する表示装置。
【請求項２】
前記記憶手段に記憶されているプログラムは、
前記コンテンツの再生機能を実現させるブラウザプログラムを実行中の前記コンピュータ装置により実行され、前記コンテンツデータを編集する機能を前記コンピュータ装置に実現させること
を特徴とする請求項１に記載の表示装置。
【請求項３】
前記保存手段は、前記コンテンツデータと前記プログラムとを受信した外部のコンピュータ装置から所定の周期で送信されるコンテンツデータを受信して前記記憶手段に記憶させることを特徴とする請求項１または請求項２に記載の表示装置。
【請求項４】
前記保存手段は、前記コンテンツデータと前記プログラムとを受信した外部のコンピュータ装置から前記コンテンツデータの編集に応じて送信されるコンテンツデータを受信して前記記憶手段に記憶させることを特徴とする請求項１または請求項２に記載の表示装置。
【発明の詳細な説明】
【技術分野】
【０００１】
本発明は、コンテンツを編集する技術に関する。
【背景技術】
【０００２】
電力を供給しなくても長期間同じ画像を表示し続ける、所謂記憶性を有する表示装置を備えた端末として特許文献１に開示されている端末がある。この端末は、他の装置と通信を行って受信したコンテンツを記憶し、記憶したコンテンツを記憶性を有する表示装置に表示させるものであり、カタログや書籍、ユーザが作成した文書などのコンテンツを表示する。
【０００３】
【特許文献１】特開２００４−１０２６６１号公報
【発明の開示】
【発明が解決しようとする課題】
【０００４】
ところで、ユーザが作成した文書については、ユーザが編集を行い文書の内容を更新する場合がある。文書の編集について上述した端末において文書の編集を行うことを考えた場合、ユーザの操作に応じて編集画面が頻繁に変化するが、電気泳動型の表示素子を備えた表示装置やコレステリック液晶を備えた表示装置などの記憶性を有する表示装置上で編集を行おうとすると、これらの表示装置においては、表示の書き換えに時間がかかるという問題があるため、ユーザの操作に応じて表示を追従させることが難しく、編集を効率良く行うことができない。
これに対し、液晶ディスプレイやＣＲＴを表示装置として備えた所謂一般的なパーソナルコンピュータ等のコンピュータ装置で文書の編集を行い、編集が終了した文書を端末に送信するという方法も考えられるが、この方法だと、文書を編集するための専用アプリケーションをコンピュータ装置にインストールしておく必要がある。コンピュータ装置に専用アプリケーションをインストールすることは、コンピュータ装置の扱いに不慣れなものにとっては煩雑な作業であり容易ではない。また、専用アプリケーションがインストールされたコンピュータ装置がないと編集を行うことができないため、専用アプリケーションがインストールされたコンピュータ装置が壊れてしまった場合などにおいては、文書の編集を行うことができなくなってしまう。
【０００５】
本発明は、上述した背景の下になされたものであり、その目的は、コンテンツを再生する表示装置に記憶されているコンテンツの編集を表示装置とは異なる他の装置で容易に編集できるようにすることにある。
【課題を解決するための手段】
【０００６】
上述した課題を解決するために本発明は、コンテンツを表すコンテンツデータと、前記コンテンツデータを編集する機能を外部のコンピュータ装置に実現させるプログラムとを記憶する記憶手段と、前記コンテンツデータを要求する要求指示を受信する要求指示受信手段と、前記プログラムと、前記要求指示受信手段で受信された要求指示が要求するコンテンツデータとを前記記憶手段から読み出し、読み出したプログラムとコンテンツデータとを前記要求指示を送信した外部のコンピュータ装置へ送信する送信手段と、前記外部のコンピュータ装置から送信されたコンテンツデータを前記記憶手段に記憶させる保存手段と、記憶性を備えた表示素子を有し、前記記憶手段に記憶されたコンテンツデータが表すコンテンツを表示する表示手段とを有する表示装置を提供する。
【０００７】
好ましい態様においては、前記記憶手段に記憶されているプログラムは、前記コンテン
ツの再生機能を実現させるブラウザプログラムを実行中の前記コンピュータ装置により実行され、前記コンテンツデータを編集する機能を前記コンピュータ装置に実現させる。
【０００８】
また、本発明においては、前記保存手段は、前記コンテンツデータと前記プログラムとを受信した外部のコンピュータ装置から所定の周期で送信されるコンテンツデータを受信して前記記憶手段に記憶してもよい。
【０００９】
また、本発明においては、前記保存手段は、前記コンテンツデータと前記プログラムとを受信した外部のコンピュータ装置から前記コンテンツデータの編集に応じて送信されるコンテンツデータを受信して前記記憶手段に記憶させてもよい。
【発明を実施するための最良の形態】
【００１０】
［実施形態の構成］
（全体構成）
図１は、本発明の実施形態に係るシステム１の全体構成を示した図である。このシステム１は、電子ペーパ装置１０、コンピュータ装置２０、および無線通信ネットワーク３０で構成されている。そして、このシステム１においては、電子ペーパ装置１０とコンピュータ装置２０は、無線ＬＡＮ（Local Area Network）である無線通信ネットワーク３０を介して通信を行い、各種要求や応答、ファイルやデータなどを無線通信ネットワーク３０を介して授受する。なお、このシステム１においては多数の電子ペーパ装置１０および多数のコンピュータ装置２０が存在するが、図面が煩雑になるのを防ぐため、図１には一つの電子ペーパ装置１０と一つのコンピュータ装置２０のみを示している。
【００１１】
（コンピュータ装置２０）
コンピュータ装置２０は、オペレーティングシステムが動作する、所謂パーソナルコンピュータ装置である。図２に示したように、コンピュータ装置２０は、制御部２０１、記憶部２０５、通信部２０６、操作部２０７、表示部２０８を有している。
【００１２】
通信部２０６は、無線通信を行う通信インターフェース機能を備えており、制御部２０１の制御の下、無線通信ネットワーク３０を介して電子ペーパ装置１０と通信を行う。操作部２０７は、コンピュータ装置２０を操作するためのキーボード（図示略）やマウス（図示略）を有している。表示部２０８は液晶ディスプレイを具備しており、制御部２０１の制御の下、文字やグラフィック画像、コンピュータ装置２０を操作するためのメニュー画面などの各種画像を表示する。記憶部２０５は、ハードディスク装置を有しており、コンピュータ装置２０にオペレーティングシステムの機能を実現するＯＳプログラム、ＷＷＷ（World Wide Web）ブラウザの機能を実現するブラウザプログラムなどを記憶している。
【００１３】
制御部２０１は、ＣＰＵ（Central Processing Unit）２０２、ＩＰＬ（Initial Program Loader）を記憶したＲＯＭ（Read Only Memory）２０３、ＲＡＭ（Random Access Memory）２０４を有している。制御部２０１においては、図示せぬ電源から電力が供給され
るとＲＯＭ２０３に記憶されているＩＰＬがＣＰＵ２０２により実行される。ＣＰＵ２０２がＩＰＬを実行すると、記憶部２０５に記憶されているＯＳプログラムがＣＰＵ２０２により実行され、操作部２０７からの入力や画面出力といった入出力機能、記憶部２０５の制御など、コンピュータ装置としての基本的な機能が実現し、ブラウザプログラムを実行することが可能となる。そして、ブラウザプログラムが実行されると、コンピュータ装置２０は、ＷＷＷサーバとして機能している装置と通信を行うクライアント装置として機能する。
【００１４】
（電子ペーパ装置１０）
電子ペーパ装置１０は、ユーザが作成した文書や電子書籍などのコンテンツの画像を表示する装置である。図３に示したように、電子ペーパ装置１０は、制御部１０１、表示部１０２、操作部１０３、通信部１０４を有している。
【００１５】
制御部１０１は、ＣＰＵ１０１Ａ、ＲＯＭ１０１Ｂ、ＲＡＭ１０１Ｃ、不揮発性メモリ１０１Ｄを有しており、ＲＯＭ１０１Ｂには、ＣＰＵ１０１Ａにより実行される制御プログラムが記憶されている。また、不揮発性メモリ１０１Ｄは、スクリプト言語で記述されたスクリプト（プログラム）であってコンピュータ装置２０において実現するＷＷＷブラウザに文書の作成や編集の機能を実現させるスクリプトや、このスクリプトを実行したＷＷＷブラウザで作成・編集された文書を表しＨＴＭＬ（HyperText Markup Language）に
従って記述された複数のＨＴＭＬファイルなどを記憶する。
【００１６】
制御部１０１においては、図示せぬ電源から電力が供給されるとＲＯＭ１０１Ｂに記憶されている制御プログラムがＣＰＵ１０１Ａにより実行される。ＣＰＵ１０１Ａが制御プログラムを実行すると、制御部１０１によって各部が制御され、クライアントとなる装置とＨＴＴＰ（HyperText Transfer Protocol）に従って通信を行うＷＷＷサーバ機能、不
揮発性メモリ１０１Ｄにファイルを記憶する機能、不揮発性メモリ１０１Ｄに記憶されているファイルが表す画像を表示部１０２に表示する機能、電子ペーパ装置１０を操作するための操作画面を表示部１０２に表示する機能などの各種機能が電子ペーパ装置１０において実現する。
【００１７】
表示部１０２は、制御部１０１に接続されており、記憶性を有する表示素子を備えた表示装置を有している。この表示装置は、画像を表示したあとは各素子に電圧をかけなくても長期間同じ画像を表示し続ける、所謂記憶性を有する表示装置である。表示部１０２は制御部１０１に接続されており、制御部１０１の制御の下、文書を表す画像や電子ペーパ装置１０を操作するための操作画面などを表示する。なお、表示装置は、特定の方式の表示装置に限定されず、例えば、電気泳動型の表示装置やコレステリック液晶を用いた表示装置など、記憶性を有する表示装置であれば、どの方式の表示装置であってもよい。
【００１８】
操作部１０３は、制御部１０１に接続されており、電子ペーパ装置１０を操作するための各種ボタンを有している。操作部１０３のボタンが操作されると、操作されたボタンを表す信号が制御部１０１へ出力される。制御部１０１は、この信号と表示部１０２に表示した画面とに基づいてユーザからの指示を特定し、特定した指示に応じて各部を制御する。
制御部１０１に接続されている通信部１０４は、無線通信を行う通信インターフェース機能を備えており、制御部１０１の制御の下、無線通信ネットワーク３０を介してコンピュータ装置２０と通信を行う。
【００１９】
［実施形態の動作］
次に本実施形態の動作について説明する。なお、以下の説明においては、文書を表すＨＴＭＬファイルが予め電子ペーパ装置１０に記憶されている場合を想定して動作の説明を行う。
【００２０】
まず、コンピュータ装置２０において、ユーザがブラウザプログラムの実行を指示する操作を操作部２０７において行うと、記憶部２０５に記憶されているブラウザプログラムがＣＰＵ２０２により起動され（図４：Ｓ１０１）、ＷＷＷブラウザのウィンドウが表示部２０８に表示される。次に、ユーザがＷＷＷサーバとして機能している電子ペーパ装置１０のＵＲＬ（Uniform Resource Locator）をＷＷＷブラウザのアドレスバーに入力し（Ｓ１０２）、電子ペーパ装置１０からＷｅｂページを取得するように指示する操作を行うと、制御部２０１により通信部２０６が制御され、Ｗｅｂページを要求するＨＴＴＰリク
エストが無線通信ネットワーク３０を介して電子ペーパ装置１０へ送信される（Ｓ１０３）。
【００２１】
このＨＴＴＰリクエストが電子ペーパ装置１０の通信部１０４にて受信されると（図５：ステップＳＡ１；ＹＥＳ）、制御部１０１は、不揮発性メモリ１０１Ｄに記憶されている複数のＨＴＭＬファイルのファイル名を取得し、取得したファイル名の一覧が記載されたＷｅｂページのＨＴＭＬファイルを生成する（Ｓ１０４、ＳＡ２）。そして、制御部１０１は通信部１０４を制御し、生成したＨＴＭＬファイルを無線通信ネットワーク３０を介してコンピュータ装置２０へ送信する（Ｓ１０５）。
【００２２】
このファイルがコンピュータ装置２０の通信部２０６にて受信されると、制御部２０１により表示部２０８が制御され、電子ペーパ装置１０に記憶されているＨＴＭＬファイルのファイル名一覧がＷＷＷブラウザのウィンドウ内に表示される（Ｓ１０６）。このファイル名一覧を見たユーザが、操作部２０７を操作してファイル名のいずれかをクリックする操作を行うと（Ｓ１０７）、クリックされたファイル名で特定されるＨＴＭＬファイルを要求するＨＴＴＰリクエストがコンピュータ装置２０から電子ペーパ装置１０へ送信される（Ｓ１０８）。
【００２３】
このＨＴＴＰリクエストが通信部１０４にて受信されると（ＳＡ３；ＹＥＳ）、制御部１０１は要求されたＨＴＭＬファイルと、ＷＷＷブラウザに文書の作成・編集の機能を実現させるスクリプトとを不揮発性メモリ１０１Ｄから読み出す（Ｓ１０９、ＳＡ４）。そして、制御部１０１は、読み出したＨＴＭＬファイルにスクリプトを組み込み（Ｓ１１０、ＳＡ５）、このスクリプトが組み込まれたＨＴＭＬファイルを通信部１０４を制御してコンピュータ装置２０へ送信する（Ｓ１１１）。このＨＴＭＬファイルが通信部２０６にて受信されると、スクリプトが組み込まれたＨＴＭＬファイルがＷＷＷブラウザにより解釈され、図６に例示したように、ＨＴＭＬファイルが表す文書の画像と、文書の作成・編集に関係した各種ボタンやテキストボックスを備える編集画面ＧとがＷＷＷブラウザのウィンドウ内に表示され（Ｓ１１２）、ＷＷＷブラウザにおいて文書の作成・編集機能が実現し、ＨＴＭＬファイルに係る文書の作成・編集が可能となる。
【００２４】
ユーザは、ＷＷＷブラウザにおいて文書の作成・編集機能が実現すると、文書を編集するために操作部２０７を操作してＷＷＷブラウザの編集画面Ｇ内に文字を入力する。操作部２０７が操作され、ＷＷＷブラウザの編集画面Ｇ内において文字の入力が行われるなど、ユーザからの入力があると、制御部２０１は入力に応じてＨＴＭＬファイルを編集し、入力された文字をＷＷＷブラウザの編集画面内に表示する（Ｓ１１３）。例えば、図６に示した文書が表示されている状態において、「●低消費電力」という文字が入力されると、入力された文字が図７に示したように表示される。
【００２５】
そして、ユーザは文書の編集が終了すると、操作部２０７を操作し、ＷＷＷブラウザの編集画面Ｇ内に表示されている文書の保存を行うための保存ボタンＢをクリックする操作を行う（Ｓ１１４）。この操作が行われると、制御部２０１は、通信部２０６を制御し、表示されている文書のＨＴＭＬファイルを無線通信ネットワーク３０を介して電子ペーパ装置１０に送信する（Ｓ１１５）。このＨＴＭＬファイルが通信部１０４にて受信されると（ＳＡ６；ＹＥＳ）、制御部１０１は受信されたＨＴＭＬファイルを不揮発性メモリ１０１Ｄに記憶させる（Ｓ１１６、ＳＡ７）。
【００２６】
この後、ユーザが、電子ペーパ装置１０に記憶されているＨＴＭＬファイルのファイル名一覧の表示を指示する操作を操作部１０３において行うと、制御部１０１は、不揮発性メモリ１０１Ｄに記憶されている複数のＨＴＭＬファイルのファイル名を取得し、取得したファイル名の一覧を表示部１０２に表示させる。この一覧を見たユーザが、表示された
ファイル名の一つを選択する操作を操作部１０３にて行うと、制御部１０１は、選択されたファイル名で特定されるＨＴＭＬファイルを不揮発性メモリ１０１Ｄから読み出す。このＨＴＭＬファイルが、例えば、上述した動作でコンピュータ装置２０から送信されて不揮発性メモリ１０１Ｄに記憶されたＨＴＭＬファイルである場合、読み出したＨＴＭＬファイルが表す文書が図８に例示したように表示部１０２に表示される。
【００２７】
以上説明したように本実施形態によれば、電子ペーパ装置１０で表示される文書を作成・編集する機能を実現するＷｅｂページがコンピュータ装置２０に送られる。そして、このＷｅｂページを受信したコンピュータ装置２０においては、ユーザがプログラムのインストール作業を行わなくても、ＷＷＷブラウザのウィンドウ内で文書の作成・編集を行うことができる。コンピュータ装置２０は表示において書き換え速度が速い表示装置を備えているため、ユーザの操作に対して表示が追従し、文書の作成・編集を効率良く行うことができる。
【００２８】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００２９】
電子ペーパ装置１０とコンピュータ装置２０との間の通信を中継する通信ネットワークは、無線通信ネットワークではなく、有線の通信ネットワークであってもよい。また、電子ペーパ装置１０とコンピュータ装置２０は、通信ネットワークを介さずに無線（電波や光による通信）や、ケーブル接続で通信を行ってもよい。
【００３０】
上述した実施形態においては、スクリプトは文書の作成・編集の機能をＷＷＷブラウザに実現させるものであったが、帳票の作成・編集機能や、描画機能などの機能を実現させるものであってもよい。また、文書を表すファイルはＨＴＭＬに従った形式だけでなく、他のファイル形式であってもよい。
【００３１】
上述した実施形態においては、スクリプトが実行されているコンピュータ装置２０は、予め定められた所定の周期で文書を表すＨＴＭＬファイルを電子ペーパ装置１０に送信し、送信されたＨＴＭＬファイルを受信した電子ペーパ装置１０は、送信されたＨＴＭＬファイルを不揮発性メモリ１０１Ｄに記憶させるようにしてもよい。
また、コンピュータ装置２０は、ＷＷＷブラウザにおいて編集の操作（入力した文字の確定、文字の削除、文字の移動、文字サイズの変更、文字フォントの変更など）が行われる毎にＨＴＭＬファイルを電子ペーパ装置１０へ送信し、電子ペーパ装置１０は送信されたＨＴＭＬファイルを不揮発性メモリ１０１Ｄへ記憶させるようにしてもよい。
【００３２】
上述した実施形態においては、文書の作成・編集機能をＷＷＷブラウザに実現させるスクリプト、帳票の作成・編集機能をＷＷＷブラウザに実現させるスクリプト、描画機能をＷＷＷブラウザに実現させるスクリプトなど、コンピュータ装置２０にコンテンツの編集機能を実現させる複数のスクリプトを不揮発性メモリ１０１Ｄに記憶させるようにしてもよい。
また、コンピュータ装置２０にコンテンツの編集機能を実現させるプログラムは、スクリプト言語に従って記述されたものに限定されず、他の言語に従って記述されたプログラムであってもよい。
【００３３】
また、記憶しているスクリプトの一覧を表すＨＴＭＬファイルをコンピュータ装置２０からの要求に応じて電子ペーパ装置１０からコンピュータ装置２０へ送信するようにしてもよい。
そして、コンピュータ装置２０は、このＨＴＭＬファイルに従ってスクリプトの一覧を表示し、コンピュータ装置２０において、いずれかのスクリプトを選択する操作が行われた場合、コンピュータ装置２０は、選択されたスクリプトを含むＨＴＭＬファイルを要求するＨＴＴＰリクエストを電子ペーパ装置１０へ送信してもよい。
また，このＨＴＴＰリクエストを受信した電子ペーパ装置１０においては、新規にコンテンツを有していないＨＴＭＬファイルを生成し、生成したＨＴＭＬファイルに選択されたスクリプトを組み込んでコンピュータ装置２０へ送信してもよい。
そして、このＨＴＭＬファイルをＷＷＷブラウザにおいて編集した場合、新たにＨＴＭＬファイルにファイル名を付して電子ペーパ装置１０に記憶させるようにしてもよい。
この態様によれば、すでに作成済みのＨＴＭＬファイルを編集するだけでなく、新たにＨＴＭＬファイルを作成して電子ペーパ装置１０に記憶させることもできる。
【００３４】
上述した実施形態においては、ＨＴＭＬファイルとスクリプトは別々に不揮発性メモリ１０１Ｄに記憶されているが、不揮発性メモリ１０１Ｄには、スクリプトを予め含むＨＴＭＬファイル記憶させてもよい。
また、上述した実施形態においては、コンピュータ装置２０から電子ペーパ装置１０へ編集されたＨＴＭＬファイルを送信する場合、スクリプトを含んだままのＨＴＭＬファイルを送信してもよいし、スクリプトを除いたＨＴＭＬファイルを送信してもよい。
【図面の簡単な説明】
【００３５】
【図１】本発明の実施形態に係るシステム１の全体構成図である。
【図２】コンピュータ装置２０のハードウェア構成図である。
【図３】電子ペーパ装置１０のハードウェア構成図である。
【図４】実施形態の動作を説明するためのシーケンス図である。
【図５】電子ペーパ装置１０の処理の流れを示したフローチャートである。
【図６】ＷＷＷブラウザのウィンドウ内に表示される画面を例示した図である。
【図７】ＷＷＷブラウザのウィンドウ内に表示される画面を例示した図である。
【図８】電子ペーパ装置１０に表示された画面を例示した図である。
【符号の説明】
【００３６】
１・・・システム、１０・・・電子ペーパ装置、２０・・・コンピュータ装置、３０・・・無線通信ネットワーク、１０１・・・制御部、１０１Ａ・・・ＣＰＵ、１０１Ｂ・・・ＲＯＭ、１０１Ｃ・・・ＲＡＭ、１０１Ｄ・・・不揮発性メモリ、１０２・・・表示部、１０３・・・操作部、１０４・・・通信部、２０１・・・制御部、２０２・・・ＣＰＵ、２０３・・・ＲＯＭ、２０４・・・ＲＡＭ、２０５・・・記憶部、２０６・・・通信部、２０７・・・操作部、２０８・・・表示部
【図１】
2008197953.tif 000003
【図２】
2008197953.tif 000004
【図３】
2008197953.tif 000005
【図４】
2008197953.tif 000006
【図５】
2008197953.tif 000007
【図６】
2008197953.tif 000008
【図７】
2008197953.tif 000009
【図８】
2008197953.tif 000010